(57)【要約】      （修正有）【課題】穿刺時の抵抗が少なく、したがって使用時の痛みが少ない穿刺針を提供する。【解決手段】細長い針本体２の先端に２つの斜面（第１斜面１０および第２斜面２０）を有してなる穿刺針１。第１斜面１０および第２斜面２０は、針本体１の軸芯に関して、当該軸芯方向から見て９０°の中心角だけ互いにずれて位置している。実験の結果、斜面を３つ備える場合と比べて、穿刺時の抵抗が低減されることが確認された。穿刺時の抵抗が少ないということは、スムーズに穿刺できるということであって、これにより使用者が感じる痛みが少なく、使用感が良好である。【選択図】図１
0003187362.tif 000002
【実用新案登録請求の範囲】
【請求項１】
細長い針本体（２）の先端に第１斜面（１０）および第２斜面（２０）を有してなる穿刺針であって、
第１斜面（１０）および第２斜面（２０）は、針本体（１）の軸芯（Ｇ）に関して、当該軸芯方向から見て９０°の中心角だけ互いにずれて位置していることを特徴とする、穿刺針。
【請求項２】
細長い針本体（２）の先端に第１斜面（１０）および第２斜面（２０）を有してなる穿刺針であって、
第１斜面（１０）および第２斜面（２０）は、針本体（１）の軸芯（ａ）に関して、当該軸芯方向から見て６０°〜１２０°の中心角だけ互いにずれて位置していることを特徴とする、穿刺針。
【請求項３】
細長い針本体（２）の先端に第１斜面（１０）および第２斜面（２０）を有してなる穿刺針であって、
第１斜面（１０）および第２斜面（２０）は、針本体（１）の軸芯（ａ）に関して、当該軸芯方向から見て１°〜１７９°の中心角だけ互いにずれて位置していることを特徴とする、穿刺針。
【考案の詳細な説明】
【技術分野】
【０００１】
本考案は、メディカルチェック等を目的とした採血に使用する穿刺針に関する。
【背景技術】
【０００２】
血糖値の検査等、メディカルチェックを目的として採血を行う場合に、穿刺針を指先等に短時間だけ穿刺して、そこに微量の出血を生じさせることが従来から行われている。こうして採取された血液は、別途検査器具等を用いたメディカルチェックに供される。
【考案の概要】
【考案が解決しようとする課題】
【０００３】
穿刺針を指先等に穿刺する場合、皮膚からの抵抗が少ない方が使用者の感じる痛みは少ない。本考案の目的は、穿刺時の抵抗が少なく、したがって使用時の痛みが少ない穿刺針を提供することにある。
【課題を解決するための手段】
【０００４】
本考案の穿刺針は、細長い針本体の先端に２つの斜面（第１斜面および第２斜面）を有する。第１斜面および第２斜面は、針本体の軸芯に関して、当該軸芯方向から見て９０°の中心角だけ互いにズレて位置している。
【０００５】
上記中心角のズレは、理論上、１°〜１７９°の範囲内にあればよいが、抵抗の少ないスムーズな穿刺ということを考慮すれば、６０°〜１２０°の範囲内にあることが好ましく、９０°であればさらに好ましい。
【考案の効果】
【０００６】
上記構成を有する本考案の穿刺針は、針先端に２つの斜面を備える。実験の結果、斜面を３つ備える場合と比べて、穿刺時の抵抗が低減されることが確認された。穿刺時の抵抗が少ないということは、スムーズに穿刺できるということであって、これは使用者が感じる痛みが少なく、使用感が良好であるということを意味している。
【図面の簡単な説明】
【０００７】
【図１】本考案の一実施形態に係る穿刺針を示す斜視図および部分拡大図。
【図２】図１の穿刺針において、針先端の２つの斜面の位置関係を説明する図。
【図３】図１の穿刺針の先端拡大図。
【図４】図３中の４−４線断面図。
【考案を実施するための形態】
【０００８】
本考案の実施形態を、添付の図面を参照して以下に説明する。図１は、本考案の一実施形態に係る穿刺針１の全体斜視図、およびその先端の拡大図である。
穿刺針１は採血器具（図示せず）に取り付けて使用され、指先等に短時間穿刺することで出血を生じさせるものであって、ランセットとして一般に知られている。ランセット自体は一般的に知られた事項であるため、ここでは説明しない。本考案は、穿刺針自体の構造に特徴を有する。
【０００９】
図１に示すように、穿刺針１は、金属等で構成される細長い針本体２の先端に、第１斜面１０および第２斜面２０を有して構成される。すなわち、本考案の穿刺針１は、針先に２つの斜面を有している。
穿刺針１は、一例として、長さ約２３ｍｍ、直径約０．３ｍｍの金属製であるが、これに限定されるものではない。
【００１０】
《第１斜面１０と第２斜面２０との相対位置関係》
図２（ａ）は、針本体２に対して、第１斜面１０のみを形成した状態を示している（研削等によって形成する）。この時の研削方向を矢印Ｘで示している。
第１斜面１０を形成した後、針本体２を軸芯Ｇ回りに９０°回転させると、針本体２は、図２（ｂ）に示す姿勢となる。この姿勢を保ったままで、同じＸ方向に向けて第２斜面２０を形成する。図２（ｂ）では、第２斜面は未だ形成されていない。
【００１１】
なお、図２を用いたこの説明は、「第１斜面１０」と「第２斜面２０」との相対的な位置関係を説明することを意図したものであって、「その通りの手順で形成しなければならない」という意味ではない。
また、形成される斜面の傾斜角は、図２に示した例では、軸芯Ｇに対して１１°であるが、この値は適宜変更することが可能である。
【００１２】
図３は、上のような位置関係を有する「第１斜面１０」と「第２斜面２０」を図示している。すなわち、図３（ａ）は、針先先端を真上から見た拡大図で、図３（ｂ）は、これを矢印ｂ方向から見た側面図である。図３（ｃ）は、図３（ａ）の真裏を示している。
【００１３】
図３（ａ）におけるＡ１点は、第１斜面１０において、針先端から最も遠いポイントを示していて、図２（ａ）におけるＡ１点に対応している。Ａ２点は、同じく第２斜面２０において、針先端から最も遠いポイントを示している。
【００１４】
図４は、図３（ａ）中の４−４線断面図であって、Ａ１、Ａ２の両ポイント含む針断面を示している。この断面図から次のことが分かる。すなわち、第１斜面１０および第２斜面２０は、針本体１の軸芯Ｇに関して、当該軸芯方向から見て９０°の中心角だけ互いにズレて位置している。
【００１５】
本件考案者が行った実験では、斜面が３つ存在する穿刺針（図示せず）では、指先等への穿刺時の抵抗が約４０Ｎ（ニュートン）であったのに対して、斜面が２つの穿刺針では同抵抗が約２０Ｎへと低減されることが分かった。
穿刺時の抵抗が少ないということは、スムーズに穿刺できるということであって、これは使用者が感じる痛みが少なく、使用感が良好であるということを意味している。
【００１６】
《変形例》
上の実験では、第１斜面１０および第２斜面２０のズレは９０°であったが、常識的に考えて、９０°から多少の幅を持たせても同様の効果が得られると考えられる。この角度範囲について、以下に考察する。
仮に上記ズレを１８０°とすれば、針先端は、工具のマイナスドライバの如き形態となり、針として機能しない。また、０°とすれば、２つの斜面が重なるので斜面が１つのみとなってしまう。したがって、理論上、上記ズレは１°〜１７９°であればよい。ただ、スムーズな穿刺ということを考慮すれば、６０°〜１２０°の範囲が好ましいと考える。
【符号の説明】
【００１７】
１  穿刺針
２  針本体
１０  第１斜面
２０  第２斜面
【図１】
0003187362.tif 000003
【図２】
0003187362.tif 000004
【図３】
0003187362.tif 000005
【図４】
0003187362.tif 000006